(57)【特許請求の範囲】
【請求項１】
周波数分割デュプレクス（ＦＤＤ）モードおよび時分割デュプレクス（ＴＤＤ）モードで通信することが可能なユーザ機器による無線通信のための方法であって、
ＦＤＤ特有の機能グループ・インジケータ（ＦＧＩ）セットおよびＴＤＤ特有のＦＧＩセットを取得することと、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記ＦＤＤ特有のＦＧＩセットまたは前記ＴＤＤ特有のＦＧＩセットのうちの少なくとも１つをシグナリングすることと、
を備える方法。
【請求項２】
前記ＦＤＤ特有のＦＧＩセットまたは前記ＴＤＤ特有のＦＧＩセットのうちの少なくとも１つをシグナリングすることは、機能更新手順の一部として、前記ＦＤＤ特有のＦＧＩセットまたは前記ＴＤＤ特有のＦＧＩセットのうちの少なくとも１つをシグナリングすることを含む、請求項１に記載の方法。
【請求項３】
前記ＦＤＤ特有のＦＧＩセットまたは前記ＴＤＤ特有のＦＧＩセットのうちの少なくとも１つをシグナリングすることは、現在のデュプレクス・モードに依存して、前記ＦＤＤ特有のＦＧＩセットまたは前記ＴＤＤ特有のＦＧＩセットのうちの１つをシグナリングすることを備える、請求項１に記載の方法。
【請求項４】
前記ＦＤＤ特有のＦＧＩセットまたは前記ＴＤＤ特有のＦＧＩセットのうちの少なくとも１つをシグナリングすることは、前記ＦＤＤ特有のＦＧＩセットと前記ＴＤＤ特有のＦＧＩセットとの両方をシグナリングすることを備える、請求項１に記載の方法。
【請求項５】
周波数分割デュプレクス（ＦＤＤ）モードおよび時分割デュプレクス（ＴＤＤ）モードで通信することが可能なユーザ機器（ＵＥ）を用いた無線通信のための方法であって、
ＦＤＤ特有の機能グループ・インジケータ（ＦＧＩ）セットまたはＴＤＤ特有のＦＧＩセットのうちの少なくとも１つのシグナリングを受信することと、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記受信したシグナリングに基づいて、ＦＤＤモードまたはＴＤＤモードのうちのうちの少なくとも１つにおいて前記ＵＥによってサポートされている機能を判定することと、
を備える方法。
【請求項６】
前記ＦＤＤ特有の機能グループ・インジケータ（ＦＧＩ）セットまたはＴＤＤ特有のＦＧＩセットのうちの少なくとも１つのシグナリングを受信することは、現在のデュプレクス・モードに依存して、前記ＦＤＤ特有のＦＧＩセットまたは前記ＴＤＤ特有のＦＧＩセットのうちの１つのシグナリングを受信することを備える、請求項５に記載の方法。
【請求項７】
前記ＦＤＤ特有の機能グループ・インジケータ（ＦＧＩ）セットまたはＴＤＤ特有のＦＧＩセットのうちの少なくとも１つのシグナリングを受信することは、前記ＦＤＤ特有のＦＧＩセットと前記ＴＤＤ特有のＦＧＩセットとの両方のシグナリングを受信することを備える、請求項５に記載の方法。
【請求項８】
周波数分割デュプレクス（ＦＤＤ）モードおよび時分割デュプレクス（ＴＤＤ）モードで通信することが可能なユーザ機器（ＵＥ）による無線通信のための方法であって、
ＦＤＤ特有の機能グループ・インジケータ（ＦＧＩ）セットおよびＴＤＤ特有のＦＧＩセットを取得することと、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記ＵＥによって、現在の動作モードのためのＦＧＩセットをシグナリングすることと、
前記現在の動作モードとは異なる動作モードに移行する可能性を低減するように設計された少なくとも１つの動作を講じることと、
を備える方法。
【請求項９】
前記少なくとも１つの動作を講じることは、前記現在の動作モードとは異なるモードのための１または複数の近隣周波数を無視することによって、アイドル・モード中、前記現在の動作モードから別の動作モードへの移動をディセーブルすることを備え、
前記１または複数の近隣周波数は、システム情報ブロック（ＳＩＢ）でブロードキャストされる、請求項８に記載の方法。
【請求項１０】
前記現在の運転モードは、ＴＤＤモードを備え、
前記少なくとも１つの動作を講じることは、少なくとも１つのシステム情報ブロック（ＳＩＢ）でブロードキャストされた周波数を無視することによって、ＲＡＴ（ラジオ・アクセス技術）間移動をディセーブルすることを備える、請求項８に記載の方法。
【請求項１１】
前記少なくとも１つの動作を講じることは、前記現在の動作モードとは異なる動作モードのための周波数帯域をディセーブルすることによって、アクティブ・モード中、前記現在の動作モードから別の動作モードへの移動をディセーブルすることを備え、
前記周波数帯域は、ＵＥ機能メッセージで通知される、請求項８に記載の方法。
【請求項１２】
前記少なくとも１つの動作を講じることは、ＵＥ機能メッセージで通知された１または複数のＲＡＴ（ラジオ・アクセス技術）のための周波数帯域をディセーブルすることによって、ＲＡＴ間移動をディセーブルすることを備える請求項８に記載の方法。
【請求項１３】
前記現在の運転モードは、ＴＤＤモードを備え、
前記少なくとも１つの動作を講じることは、前記現在の動作モードにある間、現在のＲＡＴ（ラジオ・アクセス技術）とは異なるＲＡＴのための周波数帯域をディセーブルすることによって、アクティブ・モード中、ＲＡＴ間移動をディセーブルすることを備え、
前記周波数帯域は、ＵＥ機能メッセージで通知される、請求項８に記載の方法。
【請求項１４】
基地局に対してＵＥ機能をクエリするように強制する少なくとも１つの動作を講じること、をさらに備える請求項８に記載の方法。
【請求項１５】
前記基地局に対してＵＥ機能をクエリするように強制する少なくとも１つの動作を講じることは、
ラジオ・リソース制御（ＲＲＣ）接続レイヤによって、非アクセス階層（ＮＡＳ）接続レイヤに対して、前記現在の動作モードから別の動作モードへの変更を通知することと、
前記ＮＡＳ接続レイヤによって、前記ＵＥに対して、ディタッチ手順および再アタッチ手順を実行させることと
を含む、請求項１４に記載の方法。
【請求項１６】
周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットおよびＴＤＤ特有のＦＧＩセットを取得する手段と、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記ＦＤＤ特有のＦＧＩセットまたは前記ＴＤＤ特有のＦＧＩセットのうちの少なくとも１つをシグナリングする手段と、
を備える装置。
【請求項１７】
前記ＦＤＤ特有のＦＧＩセットまたは前記ＴＤＤ特有のＦＧＩセットのうちの少なくとも１つをシグナリングする手段は、機能更新手順の一部として、前記ＦＤＤ特有のＦＧＩセットまたは前記ＴＤＤ特有のＦＧＩセットのうちの少なくとも１つをシグナリングする手段を備える、請求項１６に記載の装置。
【請求項１８】
前記ＦＤＤ特有のＦＧＩセットまたは前記ＴＤＤ特有のＦＧＩセットのうちの少なくとも１つをシグナリングする手段は、現在のデュプレクス・モードに依存して、前記ＦＤＤ特有のＦＧＩセットまたは前記ＴＤＤ特有のＦＧＩセットのうちの１つをシグナリングする手段を備える、請求項１６に記載の装置。
【請求項１９】
前記ＦＤＤ特有のＦＧＩセットまたは前記ＴＤＤ特有のＦＧＩセットのうちの少なくとも１つをシグナリングする手段は、前記ＦＤＤ特有のＦＧＩセットと前記ＴＤＤ特有のＦＧＩセットとの両方をシグナリングする手段を備える、請求項１６に記載の装置。
【請求項２０】
周波数分割デュプレクス（ＦＤＤ）モードおよび時分割デュプレクス（ＴＤＤ）モードで通信することが可能なユーザ機器（ＵＥ）を用いた無線通信のための装置であって、
ＦＤＤ特有の機能グループ・インジケータ（ＦＧＩ）セットまたはＴＤＤ特有のＦＧＩセットのうちの少なくとも１つのシグナリングを受信する手段と、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記受信したシグナリングに基づいて、ＦＤＤモードまたはＴＤＤモードのうちの少なくとも１つにおいて前記ＵＥによってサポートされている機能を判定する手段と、
を備える装置。
【請求項２１】
前記ＦＤＤ特有の機能グループ・インジケータ（ＦＧＩ）セットまたは前記ＴＤＤ特有のＦＧＩセットのうちの少なくとも１つのシグナリングを受信する手段は、現在のデュプレクス・モードに依存して、前記ＦＤＤ特有のＦＧＩセットまたは前記ＴＤＤ特有のＦＧＩセットのうちの１つのシグナリングを受信する手段を備える、請求項２０に記載の装置。
【請求項２２】
前記ＦＤＤ特有の機能グループ・インジケータ（ＦＧＩ）セットまたは前記ＴＤＤ特有のＦＧＩセットのうちの少なくとも１つのシグナリングを受信する手段は、前記ＦＤＤ特有のＦＧＩセットと前記ＴＤＤ特有のＦＧＩセットとの両方のシグナリングを受信する手段を備える、請求項２０に記載の装置。
【請求項２３】
周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットおよびＴＤＤ特有のＦＧＩセットを取得する手段と、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記装置によって現在の動作モードのためのＦＧＩセットをシグナリングする手段と、
前記現在の動作モードとは異なる動作モードに移行する可能性を低減するように設計された少なくとも１つの動作を講じる手段と、
を備える装置。
【請求項２４】
前記少なくとも１つの動作を講じる手段は、前記現在の動作モードとは異なるモードのための１または複数の近隣周波数を無視することによって、アイドル・モード中、前記現在の動作モードから別の動作モードへの移動をディセーブルする手段を備え、
前記１または複数の近隣周波数は、システム情報ブロック（ＳＩＢ）でブロードキャストされる、請求項２３に記載の装置。
【請求項２５】
前記現在の運転モードは、ＴＤＤモードを備え、
前記少なくとも１つの動作を講じる手段は、少なくとも１つのシステム情報ブロック（ＳＩＢ）でブロードキャストされた周波数を無視することによって、ＲＡＴ（ラジオ・アクセス技術）間移動をディセーブルする手段を備える、請求項２３に記載の装置。
【請求項２６】
前記少なくとも１つの動作を講じる手段は、前記現在の動作モードとは異なる動作モードのための周波数帯域をディセーブルすることによって、アクティブ・モード中、前記現在の動作モードから別の動作モードへの移動をディセーブルする手段を備え、
前記周波数帯域は、ＵＥ機能メッセージで通知される、請求項２３に記載の装置。
【請求項２７】
前記少なくとも１つの動作を講じる手段は、ＵＥ機能メッセージで通知された１または複数のＲＡＴ（ラジオ・アクセス技術）のための周波数帯域をディセーブルすることによって、ＲＡＴ間移動をディセーブルする手段を備える、請求項２３に記載の装置。
【請求項２８】
前記現在の運転モードは、ＴＤＤモードを備え、
前記少なくとも１つの動作を講じる手段は、前記現在の動作モードにある間、現在のＲＡＴ（ラジオ・アクセス技術）とは異なるＲＡＴのための周波数帯域をディセーブルすることによって、アクティブ・モード中、ＲＡＴ間移動をディセーブルする手段を備え、
前記周波数帯域は、ＵＥ機能メッセージで通知される、請求項２３に記載の装置。
【請求項２９】
基地局に対してＵＥ機能をクエリするように強制する少なくとも１つの動作を講じる手段、をさらに備える請求項２３に記載の装置。
【請求項３０】
前記基地局に対してＵＥ機能をクエリするように強制する少なくとも１つの動作を講じる手段は、
ラジオ・リソース制御（ＲＲＣ）接続レイヤによって、非アクセス階層（ＮＡＳ）接続レイヤに対して、前記現在の動作モードから別の動作モードへの変更を通知する手段と、
前記ＮＡＳ接続レイヤによって、前記装置に対して、ディタッチ手順および再アタッチ手順を実行させる手段と
を備える、請求項２９に記載の装置。
【請求項３１】
周波数分割デュプレクス（ＦＤＤ）モードおよび時分割デュプレクス（ＴＤＤ）モードで通信することが可能なユーザ機器による無線通信のためのその上に格納された命令群を有するコンピュータ読取可能な記憶媒体であって、
前記命令群は、１または複数のプロセッサによって実行可能であり、前記命令群は、
ＦＤＤ特有の機能グループ・インジケータ（ＦＧＩ）セットおよびＴＤＤ特有のＦＧＩセットを取得するための命令群と、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記ＦＤＤ特有のＦＧＩセットまたは前記ＴＤＤ特有のＦＧＩセットのうちの少なくとも１つをシグナリングするための命令群と、
を備えるコンピュータ読取可能な記憶媒体。
【請求項３２】
周波数分割デュプレクス（ＦＤＤ）モードおよび時分割デュプレクス（ＴＤＤ）モードで通信することが可能なユーザ機器との無線通信のためのその上に格納された命令群を有するコンピュータ読取可能な記憶媒体であって、
前記命令群は、１または複数のプロセッサによって実行可能であり、前記命令群は、
ＦＤＤ特有の機能グループ・インジケータ（ＦＧＩ）セットまたはＴＤＤ特有のＦＧＩセットのうちの少なくとも１つのシグナリングを受信するための命令群と、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記受信したシグナリングに基づいて、ＦＤＤモードまたはＴＤＤモードのうちのうちの少なくとも１つにおいて前記ＵＥによってサポートされている機能を判定するための命令群と
を備える、コンピュータ読取可能な記憶媒体。
【請求項３３】
周波数分割デュプレクス（ＦＤＤ）モードおよび時分割デュプレクス（ＴＤＤ）モードで通信することが可能なユーザ機器による無線通信のためのその上に格納された命令群を有するコンピュータ読取可能な記憶媒体であって、
前記命令群は、１または複数のプロセッサによって実行可能であり、前記命令群は、
ＦＤＤ特有の機能グループ・インジケータ（ＦＧＩ）セットおよびＴＤＤ特有のＦＧＩセットを取得するための命令群と、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記ＵＥによって、現在の動作モードのためのＦＧＩセットをシグナリングするための命令群と、
前記現在の動作モードとは異なる動作モードに移行する可能性を低減するように設計された少なくとも１つの動作を講じるための命令群と
を備える、コンピュータ読取可能な記憶媒体。
【請求項３４】
周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットと、ＴＤＤ特有のＦＧＩセットとを取得し、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記ＦＤＤ特有のＦＧＩセットまたは前記ＴＤＤ特有のＦＧＩセットのうちの少なくとも１つをシグナリングする
ように構成された少なくとも１つのプロセッサと、
前記少なくとも１つのプロセッサに接続されたメモリと、
を備える装置。
【請求項３５】
周波数分割デュプレクス（ＦＤＤ）モードおよび時分割デュプレクス（ＴＤＤ）モードで通信することが可能なユーザ機器（ＵＥ）を用いた無線通信のための装置であって、
ＦＤＤ特有の機能グループ・インジケータ（ＦＧＩ）セットまたはＴＤＤ特有のＦＧＩセットのうちの少なくとも１つのシグナリングを受信し、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
前記受信したシグナリングに基づいて、ＦＤＤモードまたはＴＤＤモードのうちの少なくとも１つにおいて前記ＵＥによってサポートされている機能を判定する
ように構成された少なくとも１つのプロセッサと、
前記少なくとも１つのプロセッサに接続されたメモリと、
を備える装置。
【請求項３６】
周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットと、ＴＤＤ特有のＦＧＩセットとを取得し、ここで、前記ＦＤＤ特有のＦＧＩセットは、ＴＤＤモードにおいてサポートされず、ＦＤＤモードにおいてサポートされている機能のセットのインジケーションを備え、前記ＴＤＤ特有のＦＧＩセットは、ＦＤＤモードにおいてサポートされず、ＴＤＤモードにおいてサポートされている機能のセットのインジケーションを備える、
ユーザ機器（ＵＥ）ＵＥによる現在の動作モードのためのＦＧＩセットをシグナリングし、
前記現在の動作モードとは異なる動作モードに移行する可能性を低減するように設計された少なくとも１つの動作を講じる
ように構成された少なくとも１つのプロセッサと、
前記少なくとも１つのプロセッサに接続されたメモリと、
を備える装置。
【発明の詳細な説明】
【優先権主張】
【０００１】
本特許出願は、ともに本特許出願の譲受人に譲渡され、本明細書において参照によって明確に組み込まれている、２０１１年２月２８日出願の「異なるデュプレクス・モード間で機能サポートをデカップルするメカニズム」（Mechanism to Decouple Feature Support Between Different Duplexing Modes）と題された米国仮出願６１／４４７，６２４号と、２０１１年３月９日出願の「異なるデュプレクス・モード間で機能サポートをデカップルするメカニズム」（Mechanism to Decouple Feature Support Between Different Duplexing Modes）と題された米国仮出願６１／４４７，６２４号と、に対する優先権を主張する。
【技術分野】
【０００２】
本開示のある態様は一般に、無線通信に関し、さらに詳しくは、異なるデュプレクス・モード（例えば、時分割デュプレクス（ＴＤＤ）と周波数分割デュプレクス（ＦＤＤ））を適用しうるシステムおよび方法に関する。
【背景技術】
【０００３】
無線通信システムはさまざまなタイプの通信を提供するために広く開発され、例えば、音声および／またはデータが、そのような無線通信システムによって提供されうる。一般的な無線通信システム（すなわち、ネットワーク）は、（例えば、帯域幅や送信電力等のような）１または複数の共有リソースへ複数のユーザ・アクセスを提供しうる。例えば、システムは、周波数分割多重（ＦＤＭ）、時分割多重（ＴＤＭ）、符号分割多重（ＣＤＭ）、直交周波数分割多重（ＯＦＤＭ）のようなさまざまな多元接続技術を使用しうる。
【０００４】
通常、無線多元接続通信システムは、複数のモバイル・デバイスのための通信を同時にサポートしうる。おのおののモバイル・デバイスは、順方向リンクおよび逆方向リンクによる送信を介して、１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
現在の第３世代パートナシップ計画（３ＧＰＰ）仕様は、機能グループ・インジケータ（ＦＧＩ）のセットを定義しうる。これは、あるＬＴＥ機能およびラジオ間アクセス技術（Ｉ−ＲＡＴ）機能のためのサポートまたは非サポートを示すために、ユーザ機器（ＵＥ）によってネットワークへシグナリングされる。このような機能の例は、ハンドオーバ、別のＲＡＴにおける測定、およびその他さまざまな機能のためのサポートを含みうる。ＵＥからシグナリングされたＦＧＩに基づいて、ネットワークは、ＵＥに対するある手順を開始しない場合がありうる。なぜなら、これら手順は、ＵＥにおいてサポートされないだろうからである。
【発明の概要】
【０００６】
本開示のある態様は、周波数分割デュプレクス（ＦＤＤ）モードおよび時分割デュプレクス（ＴＤＤ）モードで通信することが可能なユーザ機器による無線通信のための方法を提供する。この方法は一般に、ＦＤＤ特有の機能グループ・インジケータ（ＦＧＩ）セットと、ＴＤＤ特有のＦＧＩセットとを取得することと、ＦＤＤ特有のＦＧＩセットまたはＴＤＤ特有のＦＧＩセットのうちの少なくとも１つをシグナリングすることと、を含む。
【０００７】
本開示のある態様は、周波数分割デュプレクス（ＦＤＤ）モードおよび時分割デュプレクス（ＴＤＤ）モードで通信することが可能なユーザ機器との無線通信のための方法を提供する。この方法は一般に、ＦＤＤ特有の機能グループ・インジケータ（ＦＧＩ）セットと、ＴＤＤ特有のＦＧＩセットとのうちの少なくとも１つのシグナリングを受信することと、受信したシグナリングに基づいて、ＦＤＤモードまたはＴＤＤモードのうちの少なくとも１つにおいてＵＥによってサポートされている機能を判定することと、を含む。
【０００８】
本開示のある態様は、周波数分割デュプレクス（ＦＤＤ）モードおよび時分割デュプレクス（ＴＤＤ）モードで通信することが可能なユーザ機器による無線通信のための方法を提供する。この方法は一般に、ＦＤＤ特有の機能グループ・インジケータ（ＦＧＩ）セットと、ＴＤＤ特有のＦＧＩセットとを取得することと、現在の動作モードとは異なる動作モードに移行する可能性を低減するように設計された少なくとも１つの動作を講じることと、を含む。
【０００９】
本開示のある態様は、周波数分割デュプレクス（ＦＤＤ）モードおよび時分割デュプレクス（ＴＤＤ）モードで通信することが可能なユーザ機器による無線通信のための方法を提供する。この方法は一般に、ＦＤＤ特有の機能およびＴＤＤ特有の機能を取得することと、第１の動作モードから第２の動作モードへ変化する場合、基地局へ、ディタッチ（detach）手順および再アタッチ（re-attach）手順を実行する要求を送信することと、を含む。ここで、第２の動作モードに対応する機能は、再アタッチ手順中に、基地局へ送信される。
【００１０】
本開示のある態様は、周波数分割デュプレクス（ＦＤＤ）モードおよび時分割デュプレクス（ＴＤＤ）モードで通信することが可能な無線通信のための装置を提供する。この装置は一般に、ＦＤＤ特有の機能グループ・インジケータ（ＦＧＩ）セットと、ＴＤＤ特有のＦＧＩセットとを取得する手段と、ＦＤＤ特有のＦＧＩセットまたはＴＤＤ特有のＦＧＩセットのうちの少なくとも１つをシグナリングする手段と、を含む。
【００１１】
本開示のある態様は、周波数分割デュプレクス（ＦＤＤ）モードおよび時分割デュプレクス（ＴＤＤ）モードで通信することが可能なユーザ機器との無線通信のための装置を提供する。この装置は一般に、ＦＤＤ特有の機能グループ・インジケータ（ＦＧＩ）セットと、ＴＤＤ特有のＦＧＩセットとのうちの少なくとも１つのシグナリングを受信する手段と、受信したシグナリングに基づいて、ＦＤＤモードまたはＴＤＤモードのうちの少なくとも１つにおいてＵＥによってサポートされている機能を判定する手段と、を含む。
【００１２】
本開示のある態様は、周波数分割デュプレクス（ＦＤＤ）モードおよび時分割デュプレクス（ＴＤＤ）モードで通信することが可能な無線通信のための装置を提供する。この装置は一般に、ＦＤＤ特有の機能グループ・インジケータ（ＦＧＩ）セットと、ＴＤＤ特有のＦＧＩセットとを取得する手段と、装置による現在の動作モードのためのＦＧＩセットをシグナリングする手段と、現在の動作モードとは異なる動作モードに移行する可能性を低減するように設計された少なくとも１つの動作を講じる手段と、を含む。
【００１３】
本開示のある態様は、周波数分割デュプレクス（ＦＤＤ）モードおよび時分割デュプレクス（ＴＤＤ）モードで通信することが可能な無線通信のための装置を提供する。この装置は一般に、ＦＤＤ特有の機能およびＴＤＤ特有の機能を取得する手段と、第１の動作モードから第２の動作モードへ変化する場合、基地局へ、ディタッチ（detach）手順および再アタッチ（re-attach）手順を実行する要求を送信する手段と、を含む。ここで、第２の動作モードに対応する機能は、再アタッチ手順中に、基地局へ送信される。
【００１４】
ある態様は、周波数分割デュプレクス（ＦＤＤ）モードおよび時分割デュプレクス（ＴＤＤ）モードで通信することが可能なユーザ機器による無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、ＦＤＤ特有の機能グループ・インジケータ（ＦＧＩ）セットと、ＴＤＤ特有のＦＧＩセットとを取得するための命令群と、ＦＤＤ特有のＦＧＩセットまたはＴＤＤ特有のＦＧＩセットのうちの少なくとも１つをシグナリングするための命令群と、を含む。
【００１５】
ある態様は、周波数分割デュプレクス（ＦＤＤ）モードおよび時分割デュプレクス（ＴＤＤ）モードで通信することが可能なユーザ機器を用いた無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、ＦＤＤ特有の機能グループ・インジケータ（ＦＧＩ）セットと、ＴＤＤ特有のＦＧＩセットとのうちの少なくとも１つのシグナリングを受信するための命令群と、受信したシグナリングに基づいて、ＦＤＤモードまたはＴＤＤモードのうちの少なくとも１つにおいてＵＥによってサポートされている機能を判定するための命令群と、を含む。
【００１６】
ある態様は、周波数分割デュプレクス（ＦＤＤ）モードおよび時分割デュプレクス（ＴＤＤ）モードで通信することが可能なユーザ機器による無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、ＦＤＤ特有の機能グループ・インジケータ（ＦＧＩ）セットと、ＴＤＤ特有のＦＧＩセットとを取得するための命令群と、ＵＥによる現在の動作モードのためのＦＧＩセットをシグナリングするための命令群と、現在の動作モードとは異なる動作モードに移行する可能性を低減するように設計された少なくとも１つの動作を講じるための命令群と、を含む。
【００１７】
ある態様は、周波数分割デュプレクス（ＦＤＤ）モードおよび時分割デュプレクス（ＴＤＤ）モードで通信することが可能なユーザ機器による無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、ＦＤＤ特有の機能グループ・インジケータ（ＦＧＩ）セットと、ＴＤＤ特有のＦＧＩセットとを取得するための命令群と、第１の動作モードから第２の動作モードへ変化する場合、基地局へ、ディタッチ（detach）手順および再アタッチ（re-attach）手順を実行する要求を送信するための命令群と、を含む。ここで、第２の動作モードに対応するＦＧＩセットは、再アタッチ手順中に、基地局へ送信される。
【００１８】
本開示のある態様は、周波数分割デュプレクス（ＦＤＤ）モードおよび時分割デュプレクス（ＴＤＤ）モードで通信することが可能な無線通信のための装置を提供する。この装置は、一般に、少なくとも１つのプロセッサと、少なくとも１つのプロセッサに接続されたメモリとを含む。少なくとも１つのプロセッサは、ＦＤＤ特有の機能グループ・インジケータ（ＦＧＩ）セットと、ＴＤＤ特有のＦＧＩセットとを取得し、ＦＤＤ特有のＦＧＩセットまたはＴＤＤ特有のＦＧＩセットのうちの少なくとも１つをシグナリングするように構成される。
【００１９】
本開示のある態様は、周波数分割デュプレクス（ＦＤＤ）モードおよび時分割デュプレクス（ＴＤＤ）モードで通信することが可能なユーザ機器との無線通信のための装置を提供する。この装置は、一般に、少なくとも１つのプロセッサと、少なくとも１つのプロセッサに接続されたメモリとを含む。少なくとも１つのプロセッサは、ＦＤＤ特有の機能グループ・インジケータ（ＦＧＩ）セットまたはＴＤＤ特有のＦＧＩセットのうちの少なくとも１つのシグナリングを受信し、受信したシグナリングに基づいて、ＦＤＤモードまたはＴＤＤモードのうちの少なくとも１つにおいてＵＥによってサポートされている機能を判定するように構成される。
【００２０】
本開示のある態様は、周波数分割デュプレクス（ＦＤＤ）モードおよび時分割デュプレクス（ＴＤＤ）モードで通信することが可能な無線通信のための装置を提供する。この装置は、一般に、少なくとも１つのプロセッサと、少なくとも１つのプロセッサに接続されたメモリとを含む。少なくとも１つのプロセッサは、ＦＤＤ特有の機能グループ・インジケータ（ＦＧＩ）セットと、ＴＤＤ特有のＦＧＩセットとを取得し、ＵＥによる現在の動作モードのためのＦＧＩセットをシグナリングし、現在の動作モードとは異なる動作モードに移行する可能性を低減するように設計された少なくとも１つの動作を講じるように構成される。
【００２１】
本開示のある態様は、周波数分割デュプレクス（ＦＤＤ）モードおよび時分割デュプレクス（ＴＤＤ）モードで通信することが可能な無線通信のための装置を提供する。この装置は、一般に、少なくとも１つのプロセッサと、少なくとも１つのプロセッサに接続されたメモリとを含む。少なくとも１つのプロセッサは、ＦＤＤ特有の機能グループ・インジケータ（ＦＧＩ）セットと、ＴＤＤ特有のＦＧＩセットとを取得し、第１の動作モードから第２の動作モードへ変化する場合、基地局へ、ディタッチ（detach）手順および再アタッチ（re-attach）手順を実行する要求を送信するように構成される。ここで、第２の動作モードに対応するＦＧＩセットは、再アタッチ手順中に、基地局へ送信される。
【図面の簡単な説明】
【００２２】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示していることや、本開示の範囲を限定するものとしては考慮されないことが注目されるべきである。
【図１】図１は、本開示のある態様にしたがう多元接続無線通信システムを例示する。
【図２】図２は、本開示のある態様にしたがう通信システムのブロック図を例示する。
【図３】図３は、本開示のある態様にしたがう無線通信システムの例を例示する。
【図４】図４は、本開示のある態様にしたがって、ユーザ機器（ＵＥ）によって実行されうる動作の例を例示する。
【図５】図５は、本開示のある態様にしたがって、ネットワークによって実行されうる動作の例を例示する。
【図６】図６は、本開示のある態様にしたがって、ＵＥによって実行されうる動作の例を例示する。
【図７】図７は、本開示のある態様にしたがって、ＵＥによって実行されうる動作の別の例を例示する。
【発明を実施するための形態】
【００２３】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ(登録商標)）のようなラジオ技術を実施しうる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥについて記載されており、ＬＴＥ用語が以下の説明の一部で使用される。
【００２４】
シングル・キャリア変調および周波数領域等値化を利用するシングル・キャリア周波数分割多元接続（ＳＣ−ＦＤＭＡ）は、本明細書で記載されるさまざまな態様とともに利用されうる技術である。ＳＣ−ＦＤＭＡは、ＯＦＤＭＡシステムと類似の性能を有し、本質的に全体的に同等の複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは、現在、３ＧＰＰロング・ターム・イボリューション（ＬＴＥ）またはイボルブドＵＴＲＡにおけるアップリンク多元接続スキームのための動作前提である。
【００２５】
図１に示すように、１つの態様にしたがった多元接続無線通信システムが例示される。アクセス・ポイント１００（ＡＰ）は、１つは１０４，１０６を含み、他のものは１０８，１１０を含み、さらに他のものは１１２，１１４を含む複数のアンテナ・グループを含んでいる。アクセス・ポイント（ＡＰ）はまた、基地局（ＢＳ）、ｅノードＢ、または単にｅＮＢと称されうる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末（ＡＴ）はまた、ユーザ端末（ＵＴ）、移動局（ＭＳ）、ユーザ機器（ＵＥ）、無線通信デバイス、またはその他いくつかの用語で称されうる。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。周波数分割デュプレクス（ＦＤＤ）システムでは、通信リンク１１８、１２０、１２４および１２６は、通信のために異なる周波数を使用しうる。例えば、順方向リンク１２０は、逆方向リンク１１８によって使用されるものとは異なる周波数を使用することができる。
【００２６】
通信するように設計された領域および／またはアンテナのおのおののグループは、しばしば、アクセス・ポイントのセクタと称される。１つの態様では、それぞれのアンテナ・グループは、アクセス・ポイント１００によってカバーされたエリアのセクタ内のアクセス端末と通信するように設計されている。
【００２７】
順方向リンク１２０，１２６による通信では、アクセス・ポイント１００の送信アンテナは、別のアクセス端末１１６，１２２のための順方向リンクの信号対雑音比を改善するために、ビームフォーミングを利用することができる。さらに、有効範囲領域にわたってランダムに散在するアクセス端末へ送信するためにビームフォーミングを用いるアクセス・ポイントは、アクセス端末の全てへ単一のアンテナによって送信するアクセス・ポイントよりも、近隣のセル内のアクセス端末に対して少ない干渉しかもたらさない。
【００２８】
図２は、ＭＩＭＯシステム２００における送信機システム２１０（例えば、アクセス・ポイント）および受信機システム２５０（例えば、アクセス端末）の態様のブロック図である。送信機システム２１０では、多くのデータ・ストリームのトラフィック・データが、データ・ソース２１２から送信（ＴＸ）データ・プロセッサ２１４に提供される。
【００２９】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３０】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームについて多重化されたパイロットおよび符号化されたデータは、その後、そのデータ・ストリームのために選択された特定の変調スキームに基づいて変調（例えば、シンボル・マップ）され、変調シンボルが提供される。変調スキームの例は、バイナリ・フェーズ・シフト・キーイング（ＢＰＳＫ）、直交フェーズ・シフト・キーイング（ＱＰＳＫ）、Ｍ−ＰＳＫ、またはＭ−ＱＡＭ（求積振幅変調）を含みうる。ここで、Ｍは整数である。各データ・ストリームのデータ・レート、符号化、および変調は、メモリ２３２に接続されうるプロセッサ２３０によって実行される命令群によって決定されうる。
【００３１】
それぞれのデータ・ストリームの変調シンボルは、その後、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００３２】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３３】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３４】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００３５】
メモリ２７２に接続されうるプロセッサ２７０は、どのプリコーディング行列を使用するのかを定期的に決定する。さらに、プロセッサ２７０は、行列インデクス部およびランク値部を備えた逆方向リンク・メッセージを規定する。逆方向リンク・メッセージは、通信リンクおよび／または受信されたデータ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３６】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定し、この抽出されたメッセージを処理する。
【００３７】
態様では、論理チャネルが、制御チャネルとトラフィック・チャネルとに分類される。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためにマルチメディア・ブロードキャストおよびマルチキャスト・サービス（ＭＢＭＳ）スケジューリングおよび制御情報を送信するために使用されるポイント・トゥ・マルチポイントＤＬチャネルである、マルチキャスト制御チャネル（ＭＣＣＨ）と、を備える。一般に、ＲＲＣ（ラジオ・リソース制御）接続を確立した後に、このチャネルは、ＭＢＭＳ（注：古いＭＣＣＨ＋ＭＳＣＨ）を受信するユーザ機器（ＵＥ）によってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）と、トラフィック・データを送信するためのポイント・トゥ・マルチポイントＤＬチャネルであるマルチキャスト・トラフィック・チャネル（ＭＴＣＨ）と、を備える。
【００３８】
態様では、伝送チャンネルは、ＤＬおよびアップリンク（ＵＬ）に分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３９】
（異なるデュプレクス・モードのために異なる機能を適用する典型的な方法および装置）  
現在の３ＧＰＰ仕様は、機能グループ・インジケータ（ＦＧＩ）のセットを定義しうる。これは、あるＬＴＥ機能およびラジオ間アクセス技術（Ｉ−ＲＡＴ）機能のためのサポートまたは非サポートを示すために、ユーザ機器（ＵＥ）によってネットワークへシグナリングされる。そのような機能の例は、ハンドオーバ、別のＲＡＴにおける測定の実行、半連続的なスケジューリング、およびその他のさまざまな機能のためのサポートを含みうる。ＵＥによってシグナリングされうるＦＧＩのための定義のリストの例は、３ＧＰＰ  ３６．３３１に見られうる。ネットワークは、ＵＥからシグナリングされたＦＧＩに基づいて、ＵＥに対するある手順を開始しない場合がありうる。なぜなら、これら手順は、ＵＥにおいてサポートされていないことがありうるからである。
【００４０】
現在、ＬＴＥにおける機能グループ・インジケータ（ＦＧＩ）は、適用する動作モード（例えば、ＦＤＤまたは時分割デュプレクス（ＴＤＤ））を指定していない。したがって、仕様毎にある機能セットをサポートしているＵＥは、ＦＤＤ動作モードとＴＤＤ動作モードとの両方において、フル機能セットをサポートすることが要求される。これは、製品リリースの観点からは望ましいことではないことがありうる。なぜなら、ある機能が、ある動作モード（例えば、ＦＤＤ）において他の動作モード（例えば、ＴＤＤ）よりも早く利用可能になりうるからである。したがって、仕様にしたがって、ＦＤＤモードとＴＤＤモードとの両方で動作することが可能なデバイスは、これらデュプレクス動作モードの両方でサポートされる機能のみを含むように、機能サポートを制限する必要がありうる。
【００４１】
しかしながら、本開示のある態様によれば、別の動作モード（例えば、ＬＴＥ  ＦＤＤおよびＬＴＥ  ＴＤＤ）のために、機能（例えば、機能グループ・インジケータ（ＦＧＩ））の個別のグループまたはセットが定義されうる。ＦＧＩの個別のグループを実現するための１つのアプローチは、ＬＴＥ  ＦＤＤのためにのみ適用可能であるのであれば、（ＬＴＥ規格のＲｅｌ−８において定義されたような）現在のＦＧＩのセット（または、その若干修正されたバージョン）を利用する一方、ＦＧＩの新たなセットが特にＴＤＤモードのために追加されうることである。あるいは、ＦＧＩの現在のセット（または、その若干修正されたバージョン）が、ＬＴＥ  ＴＤＤモードのためにのみ適用可能であるとして定義されうる一方、ＦＧＩの新たなセットが特にＦＤＤモードのために追加されうることである。例えば、このようにして、ＵＥは、ＴＤＤ機能およびＦＤＤ機能のために独立してサポートを示しうる。その結果、これらモードのうちの１つ（例えば、ＦＤＤ）のみにおいてサポートされている機能は、たとえ他のモード（例えば、ＴＤＤ）においてサポートされていない場合であっても、より早く利用可能となりうる。
【００４２】
ある態様の場合、異なる動作モードのために個別のＦＧＩのグループを有するために、ＦＧＩテーブル（例えば、ＦＧＩと機能との対応を示すテーブル）の全体が、２列に分割されうる。ここでは、１列が、ＬＴＥ  ＴＤＤ動作モードに対応し、別の１列が、ＬＴＥ  ＦＤＤ動作モードに対応する。ＦＧＩの最終ビット（例えば、最上位ビット、ビット番号３２）が、これら２つの列／モード間をトグルするために使用されうる。これによって、ＵＥは、例えば、いつでも無線でこれら列のうちの１つのみで、情報を送信できるようになる。
【００４３】
ある態様によって、ＵＥプロバイダは、ＦＤＤとＴＤＤとの両方をサポートする新たなハンドセット（例えば、ＬＴＥハンドセット）のためのマーケティングのための時間を低減することができるようになりうる。提案された方法によって、ＵＥは、１つのモードにおける機能のより広い範囲を、別のモードにおける機能が利用可能ではないことによって制限されることなくサポートできるようになる。
【００４４】
本明細書で示されるように、図３は、ＴＤＤおよびＦＤＤのための機能サポートがデカップルされうる無線通信システム３００の例のブロック図を例示する。
【００４５】
システム３００は、例えばＵＥ３１０のような１または複数のＵＥ（端末、移動局または無線局等）を含みうる。ＵＥ３１０は、アップリンクおよび／またはダウンリンクで１または複数のｅＮＢ３３０（基地局、アクセス・ポイント、ノードＢ、ネットワーク・セル等）と通信しうる。態様では、ＵＥ３１０およびｅＮＢ３３０は、システム３００内に、ＵＬ／ＤＬ通信のための任意の数のアンテナ（図示せず）を含みうる。
【００４６】
さまざまな無線通信構成において、それぞれのＵＥは、異なるレベルの機能で、またいくつかの場合には、異なる動作モードでサポートされている異なる機能で構成されうる。例えば、ＬＴＥシステムの場合、ＵＥ３１０は、ＴＤＤモードにおいては、機能の第１のセット、ＦＤＤモードにおいては、機能の第２のセットをサポートすることが可能でありうる。ＵＥ３１０が機能のこれら異なるセットを独立してシグナリングできるようにするために、ＵＥ３１０は、ＦＤＤ特有のＦＧＩセット３１６とＴＤＤ特有のＦＧＩセット３１８とを取得／維持しうる。ＵＥは、処理モジュール３１４を用いて、どの機能のセットをシグナリングするのかを決定しうる。ＵＥはさらに、ＦＤＤ特有のＦＧＩおよび／またはＴＤＤ特有のＦＧＩをｅＮＢに送信するための送信モジュール３１２をも含みうる。受信モジュール３２０は、ｅＮＢからダウンリンク通信を受信するために使用されうる。
【００４７】
任意の時間において、ＵＥ３１０は、これらモード特有のＦＧＩのうちの１つまたは両方をｅＮＢ３３０へシグナリングしうる。ｅＮＢ３３０は、受信機モジュール３３２を用いて、モード特有のＦＧＩのうちの１つ（または両方）を受信しうる。ｅＮＢは、その後、（例えば、機能判定モジュール３３４を用いて、）与えられたモードにおいて、ＵＥによってどの機能がサポートされているのかを判定しうる。いくつかの場合、ｅＮＢは、現在の動作モードのためのＦＧＩのセットのみを受信し、どの機能が利用可能であるのかを判定し、それにしたがって、ＵＥのための手順を開始しうる。ある態様によれば、ｅＮＢは、ＦＧＩの両セットのシグナリングを受信し、例えば、両セットにおいてどの機能が利用可能であるのかを判定し、それにしたがって、両モード間での移行を開始しうる。ｅＮＢはさらに、ＵＥ３１０へ信号を送信するために送信機モジュール３３６を使用しうる。
【００４８】
図４は、本開示のある態様にしたがって、例えば図２に例示されている受信機システム２５０のような、ユーザ機器（ＵＥ）によって実行されうる動作の例を例示する。
【００４９】
動作４００は、４０２において、ＴＤＤ特有の機能グループ・インジケータ（ＦＧＩ）のセットと、ＦＤＤ特有のＦＧＩのセットとを取得することによって始まる。例示された例では、ＵＥがＦＤＤモードで動作している場合、ＵＥは、４０４において、ＦＤＤ特有のＦＧＩセットをシグナリングしうる。一方、ＵＥがＴＤＤモードで動作している場合、ＵＥは、４０６において、ＴＤＤ特有のＦＧＩセットをシグナリングしうる。ある態様によれば、ＵＥは、現在のデュプレクス・モードに関わらず、ＴＤＤ特有のＦＧＩセットとＦＤＤ特有のＦＧＩセットとの両方をシグナリングしうる。
【００５０】
ある態様の場合、ＵＥは、機能更新手順の一部として、ＦＤＤ特有のＦＧＩセットまたはＴＤＤ特有のＦＧＩセットをシグナリングしうる。
【００５１】
図５は、本開示のある態様にしたがって、例えば図２に例示されている送信機システム２１０のように、ネットワークまたはｅＮＢによって実行されうる動作の例を例示する。動作５００は、５０２において、ＴＤＤ特有のＦＧＩセットと、ＦＤＤ特有の  ＦＧＩセットとのシグナリングをＵＥから受信することによって始まる。５０４では、受信したＦＧＩセット（単数または複数）に基づいて、ＵＥによってサポートされている機能が判定される。５０６では、受信したＦＧＩセット（単数または複数）およびＵＥによってサポートされている機能に基づいて、ＵＥを用いて手順が開始される。
【００５２】
ある態様の場合、ＵＥは、ＦＤＤモードおよびＴＤＤモードにおいて、異なる機能のセットを通知しうる。しかしながら、ＬＴＥ規格の現在のバージョンでは、ＵＥ機能はアタッチしたＵＥによってのみ送信されうる。ＵＥ機能は、その後、ｅＮＢが異なるモードで動作している場合であっても、ｅＮＢ間でダイレクトに交換されうる。これは、ｅＮＢは、モード変更時に、更新されたＵＥ機能を要求しない場合がありうることを意味する。したがって、ある態様の場合、ＵＥは、ｅＮＢが新たな動作モードに関連するＦＧＩセットを有することを確実にするために、モード変更時におけるＵＥ機能交換を強制しうる。ある態様の場合、ＵＥは、ここでさらに説明されるように、ディタッチ／再アタッチ（detach/re-attach）手順を実行することによってＵＥ機能交換（すなわち、ＦＧＩセット交換）を強制しうる。
【００５３】
まず、ＵＥは、ＬＴＥ  ＦＤＤモードおよびＬＴＥ  ＴＤＤモードのための異なるＦＧＩのセットを通知しうる。動作モードは、ＵＥがＬＴＥにおけるセル選択中（例えば、ＵＥが、ＦＤＤシステムとＴＤＤシステムとの両方の発見を試みた場合）にキャンプ・オンした最初のｅＮＢに基づいて選択されうる。動作モードが選択されると、本開示のある態様は、異なる動作モード間の移動（例えば、ＬＴＥ  ＦＤＤからＬＴＥ  ＴＤＤへ、ＬＴＥ  ＴＤＤからＬＴＥ  ＦＤＤへ、およびＬＴＥ  ＴＤＤ  ＲＡＴからＵＴＲＡＮ／１ｘ／ＨＲＰＤ  ＲＡＴへ、ここで、ＵＴＲＡＮは、ユニバーサル地上ラジオ・アクセス・ネットワークを、１ｘはＣＤＭＡ２０００  １ｘを、ＨＲＰＤは高レート・パケット・データを称する）を低減および／または禁止するための方法および装置に関連しうる。ある態様によれば、ＵＥは、ＴＤＤモードで動作している場合、システム情報ブロック（例えば、ＳＩＢ５）における近隣ＦＤＤ周波数（または周波数帯域）を切り詰めうる。システム情報ブロック・タイプ５（ＳＩＢ５）は、セルにおいて共通の物理チャネルのコンフィギュレーションのためのパラメータを含む。同様に、ＦＤＤモードで動作している場合、ＵＥは、ＳＩＢ５における近隣ＴＤＤ周波数を切り詰めうる。
【００５４】
ある態様によれば、ＵＥは、ＳＩＢ６およびＳＩＢ８における対応する周波数を切り詰めることによって、アイドル・モード中、ＵＴＲＡＮ／１ｘ／ＨＲＰＤへのＬＴＥ  ＴＤＤラジオ間アクセス技術（Ｉ−ＲＡＴ）移動を低減および／または禁止（例えば、ディセーブル）しうる。システム情報ブロック・タイプ６（ＳＩＢ６）は、接続モードで使用されるべき共通物理チャネルおよび共有物理チャネルのコンフィギュレーションのためのパラメータを含む。システム情報ブロック・タイプ８（ＳＩＢ８）は、セルにおいて使用されるべき不変の共通パケット・チャネル（ＣＰＣＨ）情報を含む。
【００５５】
本開示のある態様は、ＵＥがアクティブ・モードにある間、ＬＴＥ  ＦＤＤからＬＴＥ  ＴＤＤへの、および、ＬＴＥ  ＴＤＤからＬＴＥ  ＦＤＤへの移動を低減および／または禁止するための方法および装置に関する。ある態様によれば、ＵＥは、ＵＥ機能情報要素（ＩＥ）におけるＬＴＥ  ＴＤＤ周波数帯域をディセーブルすることによって、アクティブ・モード移動を低減および／または禁止しうる。同様に、ＵＥがＬＴＥ  ＴＤＤモードにある間、ＵＥは、ＵＥ機能ＩＥにおけるＬＴＥ  ＦＤＤ周波数帯域をディセーブルしうる。
【００５６】
ある態様によれば、ＵＥは、ＬＴＥ  ＴＤＤにある間、ＵＥ機能ＩＥにおけるＵＴＲＡＮ／１ｘ／ＨＲＰＤ周波数帯域をディセーブルすることによって、ＵＴＲＡＮ／１ｘ／ＨＲＰＤへのアクティブ・モードＬＴＥ  ＴＤＤ  ＩＲＡＴ移動を低減および／または禁止しうる。
【００５７】
モード変更の場合、本開示のある態様は、ｅＮＢに対して、更新されたＵＥ機能情報をクエリすることを強制しうる。サービス外／ラジオ・リンク欠陥（ＯＯＳ／ＲＬＦ：out of service/radio link failure）ベースの移動の結果としてモード変更が生じた場合、ＵＥは、ディタッチ／再アタッチ手順を強制し、これによって、少なくとも１つの新たなＦＧＩセットが交換されるようになる。ある態様の場合、ラジオ・リソース制御（ＲＲＣ）接続レイヤから非アクセス階層（ＮＡＳ）接続レイヤへのサービス・インジケーション・アプリケーション・プログラミング・インタフェース（ＡＰＩ）へ新たなフラグが追加され、ＦＤＤ／ＴＤＤ動作モード変更が生じたか否かが示される。モード変更は、ＵＥがアイドル・モードまたは接続モードであっても、ＲＲＣによってＦＤＤ／ＴＤＤモード変更が検出されるや否や、ＲＲＣによってＮＡＳへ示されうる。ＲＲＣは、現在のＦＤＤ／ＴＤＤモードと、以前にキャンプ・オンされていたＦＤＤ／ＴＤＤモードとを追跡し続ける。ＦＤＤ／ＴＤＤモード変更がサービス・インジケーションにおいてＮＡＳへ示された場合、ＮＡＳは、再アタッチ手順が後続するディタッチ手順をトリガしうる。ＮＡＳはまた、既存のベアラ・コンテキストをリリースするようにデータ・ストリーム（ＤＳ）レイヤに通知しうる。
【００５８】
ある態様の場合、ディタッチ後にネットワークがＲＲＣ接続をリリースしていないのであれば、ＵＥは、ＬＴＥ規格のリリース８／９仕様に関し、その後のアタッチ要求のために同じＲＲＣ接続を使用しうる（ＬＴＥ規格のＲｅｌ−１０では、個別のＲＲＣ接続が必要とされうることに注目されたい）。
【００５９】
ある態様の場合、サービス外（ＯＯＳ：out of service）ベースの移動のために、ＵＥは、最後に正しくキャンプしたシステムと同じモード（例えばＦＤＤ）を用いて、システムの周波数／周波数帯域で始まるサービスの探索を試みうる。例えば、ＵＥが最後にＦＤＤにキャンプ・オンした場合、ＵＥは、ＦＤＤシステムでサービスを探索し始めうる。同様に、ＵＥが最後にＴＤＤにキャンプ・オンした場合、ＵＥは、ＴＤＤシステムでサービスを探索し始めうる。
【００６０】
ある態様の場合、ディタッチ手順がトリガされたイベントでは、インターネット・プロトコル（ＩＰ）接続が失われ、再確立する必要がありうる。これによって、アプリケーション挙動（例えば、アプリケーションの再起動）に依存して、エンド・ユーザ経験が低下するという結果となりうる。ある態様の場合、ＬＴＥ  ＦＤＤからＬＴＥ  ＴＤＤへ（および、その逆）の移動は、ＯＯＳ手順に制限されうる。例えばハンドオーバ、リダイレクション、および再選択のようなその他の移動手順が実行されない場合もありうる。
【００６１】
図６は、本開示のある態様にしたがって、ユーザ機器（ＵＥ）によって実行されうる動作の例を例示する。ＵＥは、図２に例示されるような受信機ユニット２５０、または、図３に例示されるようなＵＥ３１０でありうる。
【００６２】
動作６００は、ＵＥがＦＤＤ特有の機能グループ・インジケータ（ＦＧＩ）セットとＴＤＤ特有のＦＧＩセットとを取得しうる６０２において始まる。６０４において、ＵＥは、現在の動作モードのためのＦＧＩセットをシグナリングしうる。６０６において、ＵＥは、現在の動作モードとは異なる動作モードへ移行する可能性を低減するように設計された少なくとも１つの動作を講じうる。ＵＥは、どの動作が適切であるかを決定するために処理モジュール３１４を利用しうる。
【００６３】
ある態様の場合、移行する可能性を低減するように設計された少なくとも１つの動作を講じることは、アイドル・モード中、システム情報ブロック（ＳＩＢ）でブロードキャストされた現在の動作モードとは異なるモードのための近隣周波数を無視することを備えうる。態様では、少なくとも１つの動作を講じることは、ＵＥ機能メッセージで通知された現在の動作モードとは異なる動作モードの周波数帯域をディセーブルすることを備えうる。別の態様によれば、この動作を講じることは、ＵＥ機能メッセージで通知された１または複数のＲＡＴのための周波数帯域をディセーブルすることによって、ＲＡＴ（ラジオ・アクセス技術）間移動をディセーブルすることを備えうる。この動作を講じることは、基地局に対してＵＥ機能をクエリするように強制する動作を講じることを備えうる。例えば、非アクセス階層（ＮＡＳ）接続レイヤは、ラジオ・リソース制御（ＲＲＣ）接続レイヤによって、現在の動作モードから別の動作モードへの変更を通知されうる。ＮＡＳ接続レイヤは、ＵＥに対して、ディタッチ手順および再アタッチ手順を実行させうる。
【００６４】
さらに別の態様では、この動作を講じることは、基地局に対して、再アタッチ手順中、現在の動作モードにバイアスを与えながら、ディタッチ手順および再アタッチ手順を強制するように強いる動作を講じることを備えうる。
【００６５】
ある態様によれば、現在の動作モードは、ＴＤＤモードを備え、現在の動作モードとは異なる動作モードに移行する可能性を低減するための少なくとも１つの動作を講じることは、少なくとも１つのシステム情報ブロック（ＳＩＢ）における周波数ブロードキャストを無視することによって、ＲＡＴ間移動をディセーブルすることを備えうる。
【００６６】
ある態様によれば、現在の動作モードは、ＴＤＤモードを備え、少なくとも１つの動作を講じることは、アクティブ・モードの間、ＲＡＴ（ラジオ・アクセス技術）間移動をディセーブルすることと、ＵＥ機能メッセージで周波数帯域が通知されうる現在の動作モードの間、現在のＲＡＴとは異なるＲＡＴの周波数帯域をディセーブルすることと、を備えうる。
【００６７】
本明細書に記載された方法は、（例えば、新たなハンドセットのマーケティングのための時間を低減するために）一時的に使用されうることが注目されねばならない。ＬＴＥ  ＦＤＤとＴＤＤとの間の移動がサポートされると、ＬＴＥ  ＦＤＤとＴＤＤの機能セットが協調されうることも期待される。ＦＤＤとＴＤＤとの両方においてＦＧＩが協調される（例えば、各機能が両モードにおいてサポートされている）場合、ＵＥは、ＦＤＤ動作モードとＴＤＤ動作モードとの両方に対応する、１つのＦＧＩのセットのみを送信しうる。
【００６８】
図７は、本開示のある態様にしたがって、ＵＥによって実行されうる動作の別の例を例示する。ＵＥは、図２に例示されるような受信機ユニット２５０、または、図３に例示されるようなＵＥ３１０でありうる。
【００６９】
動作７００は、ＵＥがＦＤＤ特有の機能とＴＤＤ特有の機能とを取得しうる７０２において始まる。ある態様の場合、これら機能は、ＴＤＤ特有のＦＧＩセットと、ＦＤＤ特有のＦＧＩセットとを含みうる。７０４において、ＵＥは、第１の動作モードから第２の動作モードへ変化する場合、ディタッチ手順および再アタッチ手順を実行する要求を基地局へ送信しうる。第２の動作モードに対応する機能は、再アタッチ手順中に、基地局へ送信される。ＵＥは、このようにして、第１の動作モードから第２の動作モードへ変化する場合、ディタッチ手順および再アタッチ手順を実行しうる。例として、第１の動作モードはＦＤＤであり、第２の動作モードはＴＤＤでありうる。ＵＥは、再アタッチ手順中、ＴＤＤ特有の機能（例えば、ＦＧＩセット）を基地局へ送信しうる。
【００７０】
前述した図４−７の方法に例示されるようなブロックに対応するさまざまな動作が、さまざまなハードウェアおよび／またはソフトウェアの構成要素（単数または複数）および／またはモジュール（単数または複数）によって実行されうる。
【００７１】
例えば、ＦＤＤ特有のＦＧＩセットと、ＴＤＤ特有のＦＧＩセットとを取得する手段は、プロセッサ、または、例えば図３における処理モジュール３１４のような任意の適切な処理構成要素によって実行されうる。ＦＤＤ特有のＦＧＩセットまたはＴＤＤ特有のＦＧＩセットのうちの少なくとも１つをシグナリングする手段は、例えば送信機モジュール３１２のような送信機によって実行されうる。同様に、少なくとも１つの動作を講じる手段は、プロセッサ、または、例えば図３に例示された処理モジュール３１４のような任意の適切な処理構成要素によって実行されうる。さらに、シグナリングを受信する手段は、例えば受信機モジュール３３２のような受信機によって実行され、ＵＥによってサポートされている機能を判定する手段は、例えば図３に例示されている機能判定モジュール３３４のような処理ユニットによって実行されうる。同様に、ディタッチ手順および再アタッチ手順を実行する要求を基地局へ送信する手段は、例えば送信機モジュール３１２のような送信機によって実行されうる。
【００７２】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本開示に関連して説明された方法またはアルゴリズムのステップを、ハードウェアで直接的に、プロセッサによって実行されるソフトウェア・モジュールによって、またはこの２つの組合せによって実現されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００７４】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００７５】
説明された機能は、ハードウェア、ソフトウェア、ファームウェア、またはその任意の組合せで実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００７６】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７７】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００７８】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００７９】
特許請求の範囲が、上述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８０】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
以下に、本願出願の当初の特許請求の範囲に記載された発明を付記する。
［１］  周波数分割デュプレクス（ＴＤＤ）モードおよび時分割デュプレクス（ＦＤＤ）モードで通信することが可能なユーザ機器による無線通信のための方法であって、
ＦＤＤ特有の機能グループ・インジケータ（ＦＧＩ）セットおよびＴＤＤ特有のＦＧＩセットを取得することと、
前記ＦＤＤ特有のＦＧＩセットまたは前記ＴＤＤ特有のＦＧＩセットのうちの少なくとも１つをシグナリングすることと、
を備える方法。
［２］  前記ＦＤＤ特有のＦＧＩセットまたは前記ＴＤＤ特有のＦＧＩセットのうちの少なくとも１つをシグナリングすることは、機能更新手順の一部として、前記ＦＤＤ特有のＦＧＩセットまたは前記ＴＤＤ特有のＦＧＩセットのうちの少なくとも１つをシグナリングすることを含む、［１］に記載の方法。
［３］  前記ＦＤＤ特有のＦＧＩセットまたは前記ＴＤＤ特有のＦＧＩセットのうちの少なくとも１つをシグナリングすることは、現在のデュプレクス・モードに依存して、前記ＦＤＤ特有のＦＧＩセットまたは前記ＴＤＤ特有のＦＧＩセットのうちの１つをシグナリングすることを備える、［１］に記載の方法。
［４］  前記ＦＤＤ特有のＦＧＩセットまたは前記ＴＤＤ特有のＦＧＩセットのうちの少なくとも１つをシグナリングすることは、前記ＦＤＤ特有のＦＧＩセットと前記ＴＤＤ特有のＦＧＩセットとの両方をシグナリングすることを備える、［１］に記載の方法。
［５］  周波数分割デュプレクス（ＴＤＤ）モードおよび時分割デュプレクス（ＦＤＤ）モードで通信することが可能なユーザ機器（ＵＥ）を用いた無線通信のための方法であって、
ＦＤＤ特有の機能グループ・インジケータ（ＦＧＩ）セットまたはＴＤＤ特有のＦＧＩセットのうちの少なくとも１つのシグナリングを受信することと、
前記受信したシグナリングに基づいて、ＦＤＤモードまたはＴＤＤモードのうちのうちの少なくとも１つにおいて前記ＵＥによってサポートされている機能を判定することと、
を備える方法。
［６］  前記ＦＤＤ特有の機能グループ・インジケータ（ＦＧＩ）セットまたはＴＤＤ特有のＦＧＩセットのうちの少なくとも１つのシグナリングを受信することは、現在のデュプレクス・モードに依存して、前記ＦＤＤ特有のＦＧＩセットまたは前記ＴＤＤ特有のＦＧＩセットのうちの１つのシグナリングを受信することを備える、［５］に記載の方法。
［７］  前記ＦＤＤ特有の機能グループ・インジケータ（ＦＧＩ）セットまたはＴＤＤ特有のＦＧＩセットのうちの少なくとも１つのシグナリングを受信することは、前記ＦＤＤ特有のＦＧＩセットと前記ＴＤＤ特有のＦＧＩセットとの両方のシグナリングを受信することを備える、［５］に記載の方法。
［８］  周波数分割デュプレクス（ＦＤＤ）モードおよび時分割デュプレクス（ＦＤＤ）モードで通信することが可能なユーザ機器（ＵＥ）による無線通信のための方法であって、
ＦＤＤ特有の機能グループ・インジケータ（ＦＧＩ）セットおよびＴＤＤ特有のＦＧＩセットを取得することと、
前記ＵＥによって、現在の動作モードのためのＦＧＩセットをシグナリングすることと、
前記現在の動作モードとは異なる動作モードに移行する可能性を低減するように設計された少なくとも１つの動作を講じることと、
を備える方法。
［９］  前記少なくとも１つの動作を講じることは、前記現在の動作モードとは異なるモードのための１または複数の近隣周波数を無視することによって、アイドル・モード中、前記現在の動作モードから別の動作モードへの移動をディセーブルすることを備え、
前記１または複数の近隣周波数は、システム情報ブロック（ＳＩＢ）でブロードキャストされる、［８］に記載の方法。
［１０］  前記現在の運転モードは、ＴＤＤモードを備え、
前記少なくとも１つの動作を講じることは、少なくとも１つのシステム情報ブロック（ＳＩＢ）でブロードキャストされた周波数を無視することによって、ＲＡＴ（ラジオ・アクセス技術）間移動をディセーブルすることを備える、［８］に記載の方法。
［１１］  前記少なくとも１つの動作を講じることは、前記現在の動作モードとは異なる動作モードのための周波数帯域をディセーブルすることによって、アクティブ・モード中、前記現在の動作モードから別の動作モードへの移動をディセーブルすることを備え、
前記周波数帯域は、ＵＥ機能メッセージで通知される、［８］に記載の方法。
［１２］  前記少なくとも１つの動作を講じることは、ＵＥ機能メッセージで通知された１または複数のＲＡＴ（ラジオ・アクセス技術）のための周波数帯域をディセーブルすることによって、ＲＡＴ間移動をディセーブルすることを備える［８］に記載の方法。
［１３］  前記現在の運転モードは、ＴＤＤモードを備え、
前記少なくとも１つの動作を講じることは、前記現在の動作モードにある間、現在のＲＡＴ（ラジオ・アクセス技術）とは異なるＲＡＴのための周波数帯域をディセーブルすることによって、アクティブ・モード中、ＲＡＴ間移動をディセーブルすることを備え、
前記周波数帯域は、ＵＥ機能メッセージで通知される、［８］に記載の方法。
［１４］  基地局に対してＵＥ機能をクエリするように強制する少なくとも１つの動作を講じること、をさらに備える［８］に記載の方法。
［１５］  前記基地局に対してＵＥ機能をクエリするように強制する少なくとも１つの動作を講じることは、
ラジオ・リソース制御（ＲＲＣ）接続レイヤによって、非アクセス階層（ＮＡＳ）接続レイヤに対して、前記現在の動作モードから別の動作モードへの変更を通知することと、
前記ＮＡＳ接続レイヤによって、前記ＵＥに対して、ディタッチ手順および再アタッチ手順を実行させることと
を含む、［１４］に記載の方法。
［１６］  周波数分割デュプレクス（ＦＤＤ）モードおよび時分割デュプレクス（ＦＤＤ）モードで通信することが可能なユーザ機器（ＵＥ）による無線通信のための方法であって、
ＦＤＤ特有の機能およびＴＤＤ特有の機能を取得することと、
第１の動作モードから第２の動作モードへ変化する場合、基地局へ、ディタッチ手順および再アタッチ手順を実行する要求を送信することと、ここで、前記第２の動作モードに対応する機能は、前記再アタッチ手順中に、前記基地局へ送信される、
を備える方法。
［１７］  前記第１の動作モードから前記第２の動作モードへ変化する場合、前記ディタッチ手順および前記再アタッチ手順を実行すること、をさらに備える［１６］に記載の方法。
［１８］  前記第１の動作モードはＦＤＤであり、
前記第２の動作モードはＴＤＤであり、
前記ＴＤＤ特有の機能は、前記再アタッチ手順中に、前記基地局へ送信される、［１６］に記載の方法。
［１９］  周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットおよびＴＤＤ特有のＦＧＩセットを取得する手段と、
前記ＦＤＤ特有のＦＧＩセットまたは前記ＴＤＤ特有のＦＧＩセットのうちの少なくとも１つをシグナリングする手段と、
を備える装置。
［２０］  前記ＦＤＤ特有のＦＧＩセットまたは前記ＴＤＤ特有のＦＧＩセットのうちの少なくとも１つをシグナリングする手段は、機能更新手順の一部として、前記ＦＤＤ特有のＦＧＩセットまたは前記ＴＤＤ特有のＦＧＩセットのうちの少なくとも１つをシグナリングする手段を備える、［１９］に記載の方法。
［２１］  前記ＦＤＤ特有のＦＧＩセットまたは前記ＴＤＤ特有のＦＧＩセットのうちの少なくとも１つをシグナリングする手段は、現在のデュプレクス・モードに依存して、前記ＦＤＤ特有のＦＧＩセットまたは前記ＴＤＤ特有のＦＧＩセットのうちの１つをシグナリングする手段を備える、［１９］に記載の方法。
［２２］  前記ＦＤＤ特有のＦＧＩセットまたは前記ＴＤＤ特有のＦＧＩセットのうちの少なくとも１つをシグナリングする手段は、前記ＦＤＤ特有のＦＧＩセットと前記ＴＤＤ特有のＦＧＩセットとの両方をシグナリングする手段を備える、［１９］に記載の方法。
［２３］  周波数分割デュプレクス（ＦＤＤ）モードおよび時分割デュプレクス（ＴＤＤ）モードで通信することが可能なユーザ機器（ＵＥ）を用いた無線通信のための装置であって、
ＦＤＤ特有の機能グループ・インジケータ（ＦＧＩ）セットまたはＴＤＤ特有のＦＧＩセットのうちの少なくとも１つのシグナリングを受信する手段と、
前記受信したシグナリングに基づいて、ＦＤＤモードまたはＴＤＤモードのうちの少なくとも１つにおいて前記ＵＥによってサポートされている機能を判定する手段と、
を備える装置。
［２４］  前記ＦＤＤ特有の機能グループ・インジケータ（ＦＧＩ）セットまたは前記ＴＤＤ特有のＦＧＩセットのうちの少なくとも１つのシグナリングを受信する手段は、現在のデュプレクス・モードに依存して、前記ＦＤＤ特有のＦＧＩセットまたは前記ＴＤＤ特有のＦＧＩセットのうちの１つのシグナリングを受信する手段を備える、［２３］に記載の装置。
［２５］  前記ＦＤＤ特有の機能グループ・インジケータ（ＦＧＩ）セットまたは前記ＴＤＤ特有のＦＧＩセットのうちの少なくとも１つのシグナリングを受信する手段は、前記ＦＤＤ特有のＦＧＩセットと前記ＴＤＤ特有のＦＧＩセットとの両方のシグナリングを受信する手段を備える、［２３］に記載の装置。
［２６］  周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットおよびＴＤＤ特有のＦＧＩセットを取得する手段と、
前記装置によって現在の動作モードのためのＦＧＩセットをシグナリングする手段と、
前記現在の動作モードとは異なる動作モードに移行する可能性を低減するように設計された少なくとも１つの動作を講じる手段と、
を備える装置。
［２７］  前記少なくとも１つの動作を講じる手段は、前記現在の動作モードとは異なるモードのための１または複数の近隣周波数を無視することによって、アイドル・モード中、前記現在の動作モードから別の動作モードへの移動をディセーブルする手段を備え、
前記１または複数の近隣周波数は、システム情報ブロック（ＳＩＢ）でブロードキャストされる、［２６］に記載の装置。
［２８］  前記現在の運転モードは、ＴＤＤモードを備え、
前記少なくとも１つの動作を講じる手段は、少なくとも１つのシステム情報ブロック（ＳＩＢ）でブロードキャストされた周波数を無視することによって、ＲＡＴ（ラジオ・アクセス技術）間移動をディセーブルする手段を備える、［２６］に記載の装置。
［２９］  前記少なくとも１つの動作を講じる手段は、前記現在の動作モードとは異なる動作モードのための周波数帯域をディセーブルすることによって、アクティブ・モード中、前記現在の動作モードから別の動作モードへの移動をディセーブルする手段を備え、
前記周波数帯域は、ＵＥ機能メッセージで通知される、［２６］に記載の装置。
［３０］  前記少なくとも１つの動作を講じる手段は、ＵＥ機能メッセージで通知された１または複数のＲＡＴ（ラジオ・アクセス技術）のための周波数帯域をディセーブルすることによって、ＲＡＴ間移動をディセーブルする手段を備える、［２６］に記載の装置。
［３１］  前記現在の運転モードは、ＴＤＤモードを備え、
前記少なくとも１つの動作を講じる手段は、前記現在の動作モードにある間、現在のＲＡＴ（ラジオ・アクセス技術）とは異なるＲＡＴのための周波数帯域をディセーブルすることによって、アクティブ・モード中、ＲＡＴ間移動をディセーブルする手段を備え、
前記周波数帯域は、ＵＥ機能メッセージで通知される、［２６］に記載の装置。
［３２］  基地局に対してＵＥ機能をクエリするように強制する少なくとも１つの動作を講じる手段、をさらに備える［２６］に記載の装置。
［３３］  前記基地局に対してＵＥ機能をクエリするように強制する少なくとも１つの動作を講じる手段は、
ラジオ・リソース制御（ＲＲＣ）接続レイヤによって、非アクセス階層（ＮＡＳ）接続レイヤに対して、前記現在の動作モードから別の動作モードへの変更を通知する手段と、
前記ＮＡＳ接続レイヤによって、前記装置に対して、ディタッチ手順および再アタッチ手順を実行させる手段と
を備える、［３２］に記載の装置。
［３４］  周波数分割デュプレクス（ＦＤＤ）モードおよび時分割デュプレクス（ＴＤＤ）モードで通信することが可能な無線通信のための装置であって、
ＦＤＤ特有の機能およびＴＤＤ特有の機能を取得する手段と、
第１の動作モードから第２の動作モードへ変化する場合、基地局へ、ディタッチ手順および再アタッチ手順を実行する要求を送信する手段と、ここで、前記第２の動作モードに対応する機能は、前記再アタッチ手順中に、前記基地局へ送信される、
を備える装置。
［３５］  前記第１の動作モードから前記第２の動作モードへ変化する場合、前記ディタッチ手順および前記再アタッチ手順を実行する手段、をさらに備える［３４］に記載の装置。
［３６］  前記第１の動作モードはＦＤＤであり、
前記第２の動作モードはＴＤＤであり、
前記ＴＤＤ特有の機能は、前記再アタッチ手順中に、前記基地局へ送信される、［３４］に記載の装置。
［３７］  周波数分割デュプレクス（ＴＤＤ）モードおよび時分割デュプレクス（ＦＤＤ）モードで通信することが可能なユーザ機器による無線通信のためのコンピュータ・プログラム製品であって、
格納された命令群を有するコンピュータ読取可能な媒体を備え、
前記命令群は、１または複数のプロセッサによって実行可能であり、前記命令群は、
ＦＤＤ特有の機能グループ・インジケータ（ＦＧＩ）セットおよびＴＤＤ特有のＦＧＩセットを取得するための命令群と、
前記ＦＤＤ特有のＦＧＩセットまたは前記ＴＤＤ特有のＦＧＩセットのうちの少なくとも１つをシグナリングするための命令群と、
を備えるコンピュータ・プログラム製品。
［３８］周波数分割デュプレクス（ＦＤＤ）モードおよび時分割デュプレクス（ＴＤＤ）モードで通信することが可能なユーザ機器との無線通信のためのコンピュータ・プログラム製品であって、
格納された命令群を有するコンピュータ読取可能な媒体を備え、
前記命令群は、１または複数のプロセッサによって実行可能であり、前記命令群は、
ＦＤＤ特有の機能グループ・インジケータ（ＦＧＩ）セットまたはＴＤＤ特有のＦＧＩセットのうちの少なくとも１つのシグナリングを受信するための命令群と、
前記受信したシグナリングに基づいて、ＦＤＤモードまたはＴＤＤモードのうちのうちの少なくとも１つにおいて前記ＵＥによってサポートされている機能を判定するための命令群と
を備える、コンピュータ・プログラム製品。
［３９］  周波数分割デュプレクス（ＴＤＤ）モードおよび時分割デュプレクス（ＦＤＤ）モードで通信することが可能なユーザ機器による無線通信のためのコンピュータ・プログラム製品であって、
格納された命令群を有するコンピュータ読取可能な媒体を備え、
前記命令群は、１または複数のプロセッサによって実行可能であり、前記命令群は、
ＦＤＤ特有の機能グループ・インジケータ（ＦＧＩ）セットおよびＴＤＤ特有のＦＧＩセットを取得するための命令群と、
前記ＵＥによって、現在の動作モードのためのＦＧＩセットをシグナリングするための命令群と、
前記現在の動作モードとは異なる動作モードに移行する可能性を低減するように設計された少なくとも１つの動作を講じるための命令群と
を備える、コンピュータ・プログラム製品。
［４０］  周波数分割デュプレクス（ＴＤＤ）モードおよび時分割デュプレクス（ＦＤＤ）モードで通信することが可能なユーザ機器による無線通信のためのコンピュータ・プログラム製品であって、
格納された命令群を有するコンピュータ読取可能な媒体を備え、
前記命令群は、１または複数のプロセッサによって実行可能であり、前記命令群は、
ＦＤＤ特有の機能およびＴＤＤ特有の機能を取得するための命令群と、
第１の動作モードから第２の動作モードへ変化する場合、基地局へ、ディタッチ手順および再アタッチ手順を実行する要求を送信するための命令群と、ここで、前記第２の動作モードに対応する機能は、前記再アタッチ手順中に、前記基地局へ送信される、
を備える、コンピュータ・プログラム製品。
［４１］  周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットと、ＴＤＤ特有のＦＧＩセットとを取得し、
前記ＦＤＤ特有のＦＧＩセットまたは前記ＴＤＤ特有のＦＧＩセットのうちの少なくとも１つをシグナリングする
ように構成された少なくとも１つのプロセッサと、
前記少なくとも１つのプロセッサに接続されたメモリと、
を備える装置。
［４２］  周波数分割デュプレクス（ＦＤＤ）モードおよび時分割デュプレクス（ＴＤＤ）モードで通信することが可能なユーザ機器（ＵＥ）を用いた無線通信のための装置であって、
ＦＤＤ特有の機能グループ・インジケータ（ＦＧＩ）セットまたはＴＤＤ特有のＦＧＩセットのうちの少なくとも１つのシグナリングを受信し、
前記受信したシグナリングに基づいて、ＦＤＤモードまたはＴＤＤモードのうちの少なくとも１つにおいて前記ＵＥによってサポートされている機能を判定する
ように構成された少なくとも１つのプロセッサと、
前記少なくとも１つのプロセッサに接続されたメモリと、
装置。
［４３］  周波数分割デュプレクス（ＦＤＤ）モードおよび時分割デュプレクス（ＴＤＤ）モードで通信することが可能な無線通信のための装置であって、
ＦＤＤ特有の機能グループ・インジケータ（ＦＧＩ）セットと、ＴＤＤ特有のＦＧＩセットとを取得し、
ユーザ機器（ＵＥ）ＵＥによる現在の動作モードのためのＦＧＩセットをシグナリングし、
前記現在の動作モードとは異なる動作モードに移行する可能性を低減するように設計された少なくとも１つの動作を講じる
ように構成された少なくとも１つのプロセッサと、
前記少なくとも１つのプロセッサに接続されたメモリと、
を備える装置。
［４４］  周波数分割デュプレクス（ＦＤＤ）モードおよび時分割デュプレクス（ＴＤＤ）モードで通信することが可能な無線通信のための装置であって、
ＦＤＤ特有の機能およびＴＤＤ特有の機能を取得し、
第１の動作モードから第２の動作モードへ変化する場合、基地局へ、ディタッチ手順および再アタッチ手順を実行する要求を送信する、
ここで、前記第２の動作モードに対応する機能は、前記再アタッチ手順中に前記基地局へ送信される、
ように構成された少なくとも１つのプロセッサと、
前記少なくとも１つのプロセッサに接続されたメモリと、
を備える装置。
［４５］  前記ＦＤＤ特有の機能は、ＦＤＤ特有の機能グループ・インジケータ（ＦＧＩ）セットを備え、
前記ＴＤＤ特有の機能は、ＴＤＤ特有のＦＧＩセットを備える、［１６］に記載の方法。
［４６］  前記ＦＤＤ特有の機能は、ＦＤＤ特有の機能グループ・インジケータ（ＦＧＩ）セットを備え、
前記ＴＤＤ特有の機能は、ＴＤＤ特有のＦＧＩセットを備える、［３４］に記載の装置。
【図１】
0005889922.tif 000002
【図２】
0005889922.tif 000003
【図３】
0005889922.tif 000004
【図４】
0005889922.tif 000005
【図５】
0005889922.tif 000006
【図６】
0005889922.tif 000007
【図７】
0005889922.tif 000008